(57)【要約】【課題】  複数の仕様書における文字列の置換を容易かつ確実に行えるようにする。【解決手段】  データベース２００にアクセスして、仕様書の記述内容のデータ（「設計情報データ」）を登録したり、取り込んだりすることのできる情報処理装置１００は、入力される指示に応じて用語変換案内画面を表示装置４００に表示する用語変換案内画面表示部１０５と、用語変換案内画面を介して検索文字列の指定を受け付けるとともに、ＤＢ２００に登録された設計情報データから当該検索文字列を含むものを検索する文字列検索部１０６と、検索された結果を表示装置４００に表示する検索結果表示部１０７と、用語変換案内画面を介して置換文字列の指定を受け付けるとともに、検索された検索文字列を当該置換文字列に置換する文字列置換部１０８と、文字列置換部１０８により置換された結果を表示装置４００に表示する検索結果表示部１０９とを備える。【選択図】  図１
2006146588.tif 000002
【特許請求の範囲】
【請求項１】
複数の仕様書の記述内容のデータが登録されるデータベースにアクセスすることのできる情報処理装置と、
上記情報処理装置に接続される入力装置と、
上記情報処理装置に接続される表示装置とを備えたデータベースアクセスシステムであって、
上記情報処理装置は、
上記データベースに登録されたデータからユーザが指定する文字列を含むデータを検索する検索手段と、
上記検索手段により検索された上記文字列を含むデータを上記表示装置に表示する表示手段と、
上記検索手段により検索されたデータに含まれる上記文字列をユーザが指定する文字列に置換する置換手段とを備えたことを特徴とするデータベースアクセスシステム。
【請求項２】
複数の仕様書の記述内容のデータが登録されたデータベースにアクセスすることのできるデータベースアクセス装置であって、
上記データベースに登録されたデータからユーザが指定する文字列を含むデータを検索する検索手段と、
上記検索手段により検索された上記文字列を含むデータを表示装置に表示する表示手段と、
上記検索手段により検索されたデータに含まれる上記文字列をユーザが指定する文字列に置換する置換手段とを備えたことを特徴とするデータベースアクセス装置。
【請求項３】
上記表示手段は、上記検索手段により検索された上記文字列を含むデータを表示する際に、どの仕様書に属するかを表わす情報を関連付けて表示することを特徴とする請求項２に記載のデータベースアクセス装置。
【請求項４】
上記表示手段は、さらに仕様書のどの項目に属するのかを表わす情報を関連付けて表示することを特徴とする請求項３に記載のデータベースアクセス装置。
【請求項５】
上記表示手段は、上記検索手段により検索された上記文字列を含むデータを表示する際に、該文字列を他の文字列と差別化して表示することを特徴とする請求項２〜４のいずれか１項に記載のデータベースアクセス装置。
【請求項６】
上記検索手段による検索に際して、検索対象とする仕様書の絞り込みを可能にしたことを特徴とする請求項２〜５のいずれか１項に記載のデータベースアクセス装置。
【請求項７】
上記置換手段による置換に際して、上記検索手段により検索されたデータのうち置換対象とするデータを指定可能にしたことを特徴とする請求項２〜６のいずれか１項に記載のデータベースアクセス装置。
【請求項８】
複数の仕様書の記述内容のデータが登録されるデータベースにアクセスすることのできる情報処理装置により、上記データに含まれる文字列をユーザが指定する文字列に置換する文字列置換方法であって、
上記情報処理装置の検索手段が、上記データベースに登録されたデータからユーザが指定する文字列を含むデータを検索する手順と、
上記情報処理装置の表示手段が、上記検索手段により検索された上記文字列を含むデータを表示装置に表示する手順と、
上記情報処理装置の置換手段が、上記検索手段により検索されたデータに含まれる上記文字列をユーザが指定する文字列に置換する手順とを有することを特徴とする文字列置換方法。
【請求項９】
複数の仕様書の記述内容のデータが登録されるデータベースにアクセスすることのできるコンピュータにて実行されるコンピュータプログラムであって、
上記データベースに登録されたデータからユーザが指定する文字列を含むデータを検索する検索処理と、
上記検索処理により検索された上記文字列を含むデータを表示装置に表示する表示処理と、
上記検索処理により検索されたデータに含まれる上記文字列をユーザが指定する文字列に置換する置換処理とを上記コンピュータに実行させることを特徴とするコンピュータプログラム。
【発明の詳細な説明】
【技術分野】
【０００１】
本発明は、複数の仕様書等の文書（以下、単に仕様書という。）の記述内容のデータが登録されたデータベースにアクセスして、上記データに含まれる文字列をユーザが指定する文字列に置換することができるようにしたデータベースアクセスシステム、データベースアクセス装置、文字列置換方法、及びコンピュータプログラムに関する。
【背景技術】
【０００２】
近年では、ある対象を設計するための仕様書を、文書作成ソフトウェアや表計算ソフトウェアにより作成することがほとんどである。一般的な文書作成ソフトウェアや表計算ソフトウェアにより作成された仕様書において、文字列の置換を行いたい場合は、置換対象の文字列を含む仕様書を開いた状態にする。そして、所定コマンドにより表示される置換用画面上で、検索する文字列と置換する文字列とを入力し、置換実行を指示すれば、文字列の置換が実行されることになる。
【発明の開示】
【発明が解決しようとする課題】
【０００３】
しかしながら、例えば設計対象が複雑になれば、作成される仕様書も多数に上る。これら複数の仕様書では用語を統一して使用することが望ましいが、上記のように仕様書を一つ一つ開いた状態にして文字列を置換していくのでは、非常に手間がかかり、さらには置換に洩れが生じ得る。
【０００４】
本発明は上記のような点に鑑みてなされたものであり、複数の仕様書における文字列の置換を文書作成ソフトウェアや表計算ソフトウェア上で実行するのではなく、データベースに登録された仕様書の記述内容のデータに対して実行可能とすることにより、複数の仕様書における文字列の置換を容易かつ確実に行うことができるようにすることを目的とする。
【課題を解決するための手段】
【０００５】
本発明のデータアクセスシステムは、複数の仕様書の記述内容のデータが登録されるデータベースにアクセスすることのできる情報処理装置と、上記情報処理装置に接続される入力装置と、上記情報処理装置に接続される表示装置とを備えたデータベースアクセスシステムであって、上記情報処理装置は、上記データベースに登録されたデータからユーザが指定する文字列を含むデータを検索する検索手段と、上記検索手段により検索された上記文字列を含むデータを上記表示装置に表示する表示手段と、上記検索手段により検索されたデータに含まれる上記文字列をユーザが指定する文字列に置換する置換手段とを備えた点に特徴を有する。
【０００６】
本発明のデータベースアクセス装置は、複数の仕様書の記述内容のデータが登録されたデータベースにアクセスすることのできるデータベースアクセス装置であって、上記データベースに登録されたデータからユーザが指定する文字列を含むデータを検索する検索手段と、上記検索手段により検索された上記文字列を含むデータを表示装置に表示する表示手段と、上記検索手段により検索されたデータに含まれる上記文字列をユーザが指定する文字列に置換する置換手段とを備えた点に特徴を有する。
また、本発明のデータベースアクセス装置の他の特徴とするところは、上記表示手段は、上記検索手段により検索された上記文字列を含むデータを表示する際に、どの仕様書に属するかを表わす情報を関連付けて表示する点にある。さらには、上記表示手段は、さらに仕様書のどの項目に属するのかを表わす情報を関連付けて表示する点にある。
また、本発明のデータベースアクセス装置の他の特徴とするところは、上記表示手段は、上記検索手段により検索された上記文字列を含むデータを表示する際に、該文字列を他の文字列と差別化して表示する点にある。
また、本発明のデータベースアクセス装置の他の特徴とするところは、上記検索手段による検索に際して、検索対象とする仕様書の絞り込みを可能にした点にある。
また、本発明のデータベースアクセス装置の他の特徴とするところは、上記置換手段による置換に際して、上記検索手段により検索されたデータのうち置換対象とするデータを指定可能にした点にある。
【０００７】
本発明の文字列置換方法は、複数の仕様書の記述内容のデータが登録されるデータベースにアクセスすることのできる情報処理装置により、上記データに含まれる文字列をユーザが指定する文字列に置換する文字列置換方法であって、上記情報処理装置の検索手段が、上記データベースに登録されたデータからユーザが指定する文字列を含むデータを検索する手順と、上記情報処理装置の表示手段が、上記検索手段により検索された上記文字列を含むデータを表示装置に表示する手順と、上記情報処理装置の置換手段が、上記検索手段により検索されたデータに含まれる上記文字列をユーザが指定する文字列に置換する手順とを有する点に特徴を有する。
【０００８】
本発明のコンピュータプログラムは、複数の仕様書の記述内容のデータが登録されるデータベースにアクセスすることのできるコンピュータにて実行されるコンピュータプログラムであって、上記データベースに登録されたデータからユーザが指定する文字列を含むデータを検索する検索処理と、上記検索処理により検索された上記文字列を含むデータを表示装置に表示する表示処理と、上記検索処理により検索されたデータに含まれる上記文字列をユーザが指定する文字列に置換する置換処理とを上記コンピュータに実行させる点に特徴を有する。
【発明の効果】
【０００９】
本発明によれば、複数の仕様書の記述内容のデータに含まれる文字列をユーザが指定する文字列に一括して置換することができるので、複数の仕様書を一つ一つ開いた状態にして置換作業を行うような手間が要らず、複数の仕様書における文字列の置換を容易かつ確実に行うことができる。また、検索された文字列を含むデータを使用している設計ドキュメントと、その仕様書の使用範囲が関連付けて分かるため、ユーザにとってより細分化したデータ置換が可能となる。
【発明を実施するための最良の形態】
【００１０】
以下、図面を参照して、本発明の好適な実施形態について説明する。図１は、本発明を適用したデータベースアクセスシステムの概略構成を示す図である。データベースアクセスシステムは、データベース２００（以下、「ＤＢ」と称する）にアクセスして、仕様書の記述内容のデータ（以下、「設計情報データ」と称する）を登録したり、設計情報データを取り込んだりすることのできる情報処理装置１００を備え、情報処理装置１００には、キーボードやポインティングデバイス等の入力装置３００、ＣＲＴディスプレイやＬＣＤ等の表示装置４００が接続される。
【００１１】
情報処理装置１００は、入力装置３００から入力される指示に応じてＤＢアクセス案内画面を表示装置４００に表示するＤＢアクセス案内画面表示部１０１と、ＤＢアクセス案内画面を介しての指示に応じて、仕様書（設計ドキュメント）１０４に記述された設計情報データをＤＢ２００に登録する設計情報データＤＢ登録部１０２と、ＤＢアクセス案内画面を介しての指示に応じて、ＤＢ２００に登録された設計情報データを取り込んで仕様書（設計ドキュメント）１０４に反映する設計情報データ取込部１０３とを備える。
【００１２】
さらに、情報処理装置１００は、入力装置３００から入力される指示に応じて用語変換案内画面を表示装置４００に表示する用語変換案内画面表示部１０５と、用語変換案内画面を介して検索文字列の指定を受け付けるとともに、ＤＢ２００に登録された設計情報データから当該検索文字列を含むものを検索する文字列検索部１０６と、文字列検索部１０６により検索された結果を表示装置４００に表示する検索結果表示部１０７と、用語変換案内画面を介して置換文字列の指定を受け付けるとともに、文字列検索部１０６により検索された検索文字列を当該置換文字列に置換する文字列置換部１０８と、文字列置換部１０８により置換された結果を表示装置４００に表示する検索結果表示部１０９とを備える。
【００１３】
本実施形態においては、上記情報処理装置１００が本発明でいう情報処理装置、データベースアクセス装置に相当するものである。なお、図示例では、ＤＢ２００が情報処理装置１００内にある例を示したが、例えば情報処理装置１００がネットワークを介してＤＢ２００にアクセスする構成としてもかまわない。
【００１４】
図２には仕様書の一例を示す。本実施形態では、製鐵所における生産ラインを制御・管理するためのプロセス制御用コンピュータを設計するための仕様書を例にする。仕様書は、図３に示すように、「詳細機能仕様書関連」、「処理仕様書関連」、「技術計算式関連」、「ＣＲＴ共通仕様書関連」、「帳票共通仕様書関連」、「伝送共通仕様書関連」、「アラーム仕様書関連」、「ファイル仕様書関連」、「テーブル仕様書関連」といった仕様書区分名で大きく区分され、各区分でさらに細かく分けられて仕様書名称が付されている。図２に示す仕様書は、仕様書区分名「詳細機能仕様書関連」のうちの仕様書名称「機能概要・前提条件」に属する一つの仕様書である。
【００１５】
図２に示す仕様書では、「機能概要」及び「前提条件」という大項目が設けられている。さらに、「機能概要」には「目的」、「概要」、「対象設備」、「補足資料」、「補足説明」という小項目が設けられ、「前提条件」には「設備」、「操業」、「特記事項」という小項目が設けられている。
【００１６】
さらに、各仕様書には、それぞれの種類に応じて定められている仕様書略称名（例えば「機能略称」、「タスクモジュール略称」、「ファイル略称」、「テーブル略称」といったもの）及び仕様書略称（例えば「A1A1」、「A1A2」、「B1B1」といったもの）が付され、仕様書略称が右ヘッダ部分に記載される。図２に示す仕様書では、「機能略称」という仕様書略称名及び「A1A1」という仕様書略称が付され、右ヘッダ部分に「A1A1」と記載されている。
【００１７】
このようにした仕様書は、図７に示すように、文書作成ソフトウェアや表計算ソフトウェアにより設計ドキュメント１０４として作成される。ここでは、設計ドキュメント１０４が、図４に示すように区分され、フォーマット化されたものに記述して作成される。例えば、図２に示す仕様書は、Ｎｏ．３（フォーマット分類「BF#format」に属するフォーマット番号「BF01」のうちのフォーマット名称「機能概要」）のフォーマットを用いて作成されたものである。
【００１８】
以下、図５〜１３を参照して、本実施形態のデータベースアクセスシステムにおける処理動作について詳細に説明する。図５はＤＢ２００に対する設計情報データの登録や取り込みについて説明するためのフローチャートであり、図６は文字列の検索・置換について説明するためのフローチャートである。また、図７〜１３は各処理において表示装置４００に表示される画面を示す図である。
【００１９】
図７に示すように、例えば表計算ソフトウェアにより仕様書が作成された状態で、ＤＢアクセスメニューの表示操作が行われると（ステップＳ５０１）、情報処理装置１００は、表示装置４００にＤＢアクセス案内画面としてＤＢアクセスメニュー７００を表示する（ステップＳ５０２）。
【００２０】
ＤＢアクセスメニュー７００において登録ボタン７０１が押下されると（ステップＳ５０３）、情報処理装置１００は、仕様書のチェックを行う（ステップＳ５０４）。そして、仕様書のチェックの結果、異常がなければ、設計情報データをＤＢ２００に登録し（ステップＳ５０５）、登録の成否を通知する（ステップＳ５０７〜Ｓ５０９）。本実施形態では、仕様書に記述された内容のうち図形を除くものを設計情報データとして登録する。登録に際しては、仕様書略称（図２の例では「A1A1」）をキーとして登録を行う。一方、仕様書のチェックの結果、例えば登録対象とされていないドキュメントである等の異常があれば、その旨を通知して（ステップＳ５０６）、ＤＢ２００への登録は行わない。
【００２１】
また、ＤＢアクセスメニュー７００において取込ボタン７０２が押下されると（ステップＳ５１０）、情報処理装置１００はＤＢ２００に登録された設計情報データを取り込むが、その処理については後述する。
【００２２】
また、ＤＢアクセスメニュー７００において履歴表示ボタン７０３が押下されると（ステップＳ５１７）、情報処理装置１００は、具体的に図示しないが、ＤＢ２００への登録履歴を表示する（ステップＳ５１８）。
【００２３】
以上述べたようにしてＤＢ２００に複数の仕様書の設計情報データが登録された状態で、複数の仕様書に使用されているある文字列を別の文字列に置換したい場合、ユーザは用語変換案内画面の表示操作を行えばよい。この用語変換案内画面の表示操作があると（ステップＳ６０１）、情報処理装置１００は、図８に示すように、表示装置４００に用語変換案内画面８００を表示する（ステップＳ６０２）。
【００２４】
用語変換案内画面８００には、ＥＩＣ区分のチェックボックス８０１、検索文字列の入力欄８０２、置換文字列の入力欄８０３、範囲指定の入力欄８０４、検索条件の入力欄８０５、検索条件式の入力欄８０６が設定されている。
【００２５】
ＥＩＣ区分のチェックボックス８０１では、本例の場合「プロコン」をチェックする。そして、検索文字列の入力欄８０２に、検索したい文字列を入力する。この例では、「熱風炉」という文字列が入力されている。この場合に、例えば文字列と文字列の間に*が入力されたならば（「熱風炉*制御」等）、あいまい検索が実行されるようにしてもよい。
【００２６】
また、範囲指定の入力欄８０４に検索対象とする仕様書の範囲を入力することにより、絞り込み検索を行うことができる。この範囲指定の入力欄８０４はコンボボックスからなり、図３に示したように区分された仕様書区分名、すなわち、「詳細機能仕様書関連」、「処理仕様書関連」、「技術計算式関連」、「ＣＲＴ共通仕様書関連」、「帳票共通仕様書関連」、「伝送共通仕様書関連」、「アラーム仕様書関連」、「ファイル仕様書関連」、「テーブル仕様書関連」のうち所望のものを選択して入力するようになっており、この例では、「詳細機能仕様書関連」が選択されている。もちろん、検索対象とする仕様書の範囲を指定しないことも可能である。
【００２７】
また、検索条件の入力欄８０５や検索条件式の入力欄８０６に検索条件を入力することにより、さらなる絞り込み検索を行うことができる。検索条件の入力欄８０５は、コンボボックスからなる仕様書略称名の入力欄８０５ａ、テキストボックスからなる仕様書略称の入力欄８０５ｂ、コンボボックスからなるAND/ORの入力欄８０５ｃにより構成される。検索条件の入力欄８０５に複数（最大４つ）入力した場合、条件式作成ボタン８０７を押下すると、検索条件式の入力欄８０６に、例えば「（機能略称=A1A1 OR タスクモジュール略称 LIKE A1A*）」といった検索条件式が表示される。入力欄８０６に表示される検索条件式において、ユーザは位置を任意に半角括弧を挿入することができ、これにより検索条件式を変更することも可能である。また、検索条件クリアボタン８０８を押下すれば、検索条件をクリアすることができる。もちろん、検索条件や検索条件式を入力しないことも可能である。
【００２８】
上記のようにしてＥＩＣ区分のチェックボックス８０１、検索文字列の入力欄８０２、さらには必要に応じて範囲指定の入力欄８０４、検索条件の入力欄８０５、検索条件式の入力欄８０６が入力された状態で、検索ボタン８０９が押下されると（ステップＳ６０３）、情報処理装置１００は、これら条件に基づいて、ＤＢ２００に登録された設計情報データから文字列「熱風炉」を含むものを検索する（ステップＳ６０６）。この場合に、検索文字列、範囲、検索条件が適切でないものであれば（ステップＳ６０４）、その旨を通知して検索は行わない（ステップＳ６０５）。
【００２９】
情報処理装置１００は、検索を実行すると、図９、１０に示すように、用語変換案内画面８００上の検索・置換結果表示画面９００に検索結果を表示する（ステップＳ６０７）。図９は範囲指定の入力欄８０４に仕様書区分名「詳細機能仕様書関連」が入力された場合の検索結果であり、図１０は仕様書区分名「詳細機能仕様書関連」が入力され、さらに検索条件の入力欄８０５に機能略称名「機能略称」及び機能略称「A1A1」が入力された場合の検索結果である。
【００３０】
検索・置換結果表示画面９００には、項番９０１ごとに、置換有無の欄９０２、置換対象データの欄９０３、ＥＩＣ区分の欄９０４、仕様書名称の欄９０５、仕様書項目名の欄９０６、仕様書略称の欄９０７が設定されており、置換対象データの欄９０３に、文字列「熱風炉」を含む設計情報データが表示される。この場合に、検索された文字列「熱風炉」だけは字体を変えたり、赤く表示したりする等により、他の文字列と差別化して表示するようにする。なお、置換対象データの欄９０３には設計情報データの一部しか表れないが、欄９０３の幅を広げる等すれば設計情報データのすべてを見ることができる。
【００３１】
また、ＥＩＣ区分の欄９０４には、ＥＩＣ区分のチェックボックス８０１にて選択されたＥＩＣ区分（この例では「プロコン」）が表示される。ＥＩＣ区分のチェックボックス８０１にてすべて選択されている場合は、各置換対象データの欄９０３に表示される設計情報データに該当するＥＩＣ区分が表示される。
【００３２】
また、仕様書名称の欄９０５には仕様書名称が、仕様書項目名の欄９０６には仕様書のうちの項目名称が、仕様書略称の欄９０７には仕様書略称が、それぞれ各置換対象データの欄９０３に表示される設計情報データに関連付けられて表示される。例えば、図１０の項番（１）について説明すれば、仕様書名称「機能概要・前提条件」で仕様書略称「A1A1」により特定される仕様書、すなわち図２に示す仕様書のうち、大項目「機能概要」中の小項目「目的」の記述中に検索文字列「熱風炉」が含まれていることを表わしている。
【００３３】
ここで、例えば図１０に示す例において、文字列「熱風炉」を文字列「ＨＳ」に置換したい場合、図１１に示すように、置換文字列の入力欄８０３に「ＨＳ」を入力する。そして、置換対象としたい設計情報データには置換有無の欄９０２に「１」を入力し、置換対象としたくない設計情報データにはなにも入力しない。
【００３４】
その後、置換ボタン８１０が押下されると（ステップＳ６０８）、情報処理装置１００は、ＤＢ２００上において、置換対象として指定された設計情報データについては文字列「熱風炉」を「ＨＳ」に置換する（ステップＳ６１１）。この場合に、置換文字列が適切でないものであれば（ステップＳ６０９）、その旨を通知して検索は行わない（ステップＳ６１０）。
【００３５】
情報処理装置１００は、置換を実行すると、図１２に示すように、検索・置換結果表示画面９００上に置換結果を表示する（ステップＳ６１２）。すなわち、置換有無の欄９０２に「１」が入力された置換対象データの欄９０３に、文字列「熱風炉」が文字列「ＨＳ」に置換された設計情報データが表示される。この場合に、置換された文字列「ＨＳ」だけは字体を変えたり、青く表示したりする等により、他の文字列と差別化して表示するようにする。
【００３６】
以上述べたようにしてＤＢ２００に複数の仕様書の設計情報データが登録され、必要に応じて文字列の置換が実行された状態で、ＤＢ２００に登録された仕様書の設計情報データを取り込んで、仕様書（設計ドキュメント）１０４に反映させたい場合、上述したように、ユーザはＤＢアクセスメニュー７００において取込ボタン７０２を押下すればよい。この場合、データ取込指定欄７０４に、取り込みたい設計情報データのキーとなる仕様書略称（図２の例では「A1A1」）を選択して入力する。
【００３７】
取込ボタン７０２が押下されると（ステップＳ５１０）、情報処理装置１００は、取り込む設計情報データがあるか否かのチェックを行う（ステップＳ５１１）。そして、取り込む設計情報データがあるか否かのチェックの結果、取り込む設計情報データがあれば、その設計情報データをＤＢ２００から取り込み（ステップＳ５１２）、取り込みの成否を通知する（ステップＳ５１４〜Ｓ５１６）。図１３には、上述したように文字列「熱風炉」が文字列「ＨＳ」に置換された設計情報データが取り込まれて反映された状態を示す。一方、取り込む設計情報データがあるか否かのチェックの結果、取り込む設計情報データがなければ、その旨を通知して（ステップＳ５１３）、ＤＢ２００からの取り込みは行わない。
【００３８】
図１４は、上述したデータアクセスシステムを構成可能なコンピュータシステムの一例を示すブロック図である。同図において、１２００はコンピュータＰＣである。ＰＣ１２００は、ＣＰＵ１２０１を備え、ＲＯＭ１２０２又はハードディスク（ＨＤ）１２１１に記憶された、或いはフレキシブルディスクドライブ（ＦＤ）１２１２より供給されるデバイス制御ソフトウェアを実行し、システムバス１２０４に接続される各デバイスを総括的に制御する。上記ＰＣ１２００のＣＰＵ１２０１、ＲＯＭ１２０２又はハードディスク（ＨＤ）１２１１に記憶されたプログラムにより、本実施形態の各機能手段が構成される。
【００３９】
１２０３はＲＡＭで、ＣＰＵ１２０１の主メモリ、ワークエリア等として機能する。１２０５はキーボードコントローラ（ＫＢＣ）であり、キーボード（ＫＢ）１２０９から入力される信号をシステム本体内に入力する制御を行う。１２０６は表示コントローラ（ＣＲＴＣ）であり、表示装置（ＣＲＴ）１２１０上の表示制御を行う。１２０７はディスクコントローラ（ＤＫＣ）で、ブートプログラム（起動プログラム：パソコンのハードやソフトの実行（動作）を開始するプログラム）、複数のアプリケーション、編集ファイル、ユーザファイルそしてネットワーク管理プログラム等を記憶するハードディスク（ＨＤ）１２１１、及びフレキシブルディスク（ＦＤ）１２１２とのアクセスを制御する。
【００４０】
１２０８はネットワークインタフェースカード（ＮＩＣ）で、ＬＡＮ１２２０を介して、ネットワークプリンタ、他のネットワーク機器、あるいは他のＰＣと双方向のデータのやり取りを行う。
【００４１】
（その他の実施形態）
上述した実施形態の機能は、コンピュータがコンピュータプログラムを実行することによっても実現される。また、コンピュータプログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムを記録したコンピュータ読み取り可能な記録媒体等のコンピュータプログラムプロダクトも本発明の実施形態として適用することができる。上記のコンピュータプログラム、記録媒体、伝送媒体及びコンピュータプログラムプロダクトは、本発明の範疇に含まれる。記録媒体としては、例えばフレキシブルディスク、ハードディスク、光ディスク、光磁気ディスク、ＣＤ−ＲＯＭ、磁気テープ、不揮発性のメモリ、ＲＯＭ等を用いることができる。
【図面の簡単な説明】
【００４２】
【図１】実施形態のデータベースアクセスシステムの概略構成を示す図である。
【図２】仕様書の一例を示す図である。
【図３】仕様書の種類を説明するための図である。
【図４】設計ドキュメントのフォーマット化例を説明するための図である。
【図５】データベースアクセスシステムにおける処理動作（ＤＢに対する設計情報データの登録や取り込み）について説明するためのフローチャートである。
【図６】データベースアクセスシステムにおける処理動作（文字列の検索・置換）について説明するためのフローチャートである。
【図７】ＤＢアクセスメニューが表示された画面を示す図である。
【図８】用語変換案内画面が表示された画面を示す図である。
【図９】用語変換案内画面上の検索・置換結果表示画面に検索結果が表示された状態を示す図である。
【図１０】用語変換案内画面上の検索・置換結果表示画面に検索結果が表示された状態を示す図である。
【図１１】用語変換案内画面に置換文字列が入力された状態を示す図である。
【図１２】用語変換案内画面上の検索・置換結果表示画面に置換結果が表示された状態を示す図である。
【図１３】ＤＢアクセスメニューが表示された画面を示す図である。
【図１４】データアクセスシステムを構成可能なコンピュータシステムの一例を示すブロック図である。
【符号の説明】
【００４３】
１００      情報処理装置
１０１      ＤＢアクセス案内画面表示部
１０２      設計情報データＤＢ登録部
１０３      設計情報データ取込部
１０４      設計ドキュメント
１０５      用語変換案内画面表示部
１０６      文字列検索部
１０７      検索結果表示部
１０８      文字列置換部
１０９      置換結果表示部
２００      データベース
３００      入力装置
４００      表示装置
【図１】
2006146588.tif 000003
【図２】
2006146588.tif 000004
【図３】
2006146588.tif 000005
【図４】
2006146588.tif 000006
【図５】
2006146588.tif 000007
【図６】
2006146588.tif 000008
【図７】
2006146588.tif 000009
【図８】
2006146588.tif 000010
【図９】
2006146588.tif 000011
【図１０】
2006146588.tif 000012
【図１１】
2006146588.tif 000013
【図１２】
2006146588.tif 000014
【図１３】
2006146588.tif 000015
【図１４】
2006146588.tif 000016